(57)【要約】【課題】被介護者が仰臥した状態で洗髪することができる洗髪用吸水パッドを提供する。【解決手段】洗髪用吸水パッドが、略長方形の第１吸水パッド及びその中央部の上に積層される第２吸水パッドからなる吸水体と、表面側を覆う透水性シートと、裏面側を覆う非透水性シートとを具備し、これらのシートを周縁にて接合してなる接合部を形成し、下辺側接合部に形成した略半円状の巻装部の周縁に沿った伸縮自在の頚部漏水防止帯と、上辺側接合部に沿った伸縮自在の頭頂部漏水防止帯とを設け、装着することにより容器形状をなす。【選択図】　図１
0003098660.tif 000002
【実用新案登録請求の範囲】
【請求項１】
略長方形の第１吸水パッド及び該第１吸水パッドの中央部に積層される第２吸水パッドからなる吸水体と、該吸水体の表面側を覆う透水性シートと、該吸水体の裏面側を覆う非透水性シートとを具備する洗髪用吸水パッドにおいて、
前記透水性シートと前記非透水性シートとを前記吸水体の周縁にて互いに接合してなる接合部を形成すると共に、下辺側の該接合部に略半円状の巻装部を形成し、さらに、
前記巻装部の周縁に沿った伸縮自在の頚部漏水防止帯と、上辺側の前記接合部に沿った伸縮自在の頭頂部漏水防止帯とを設けてなり、かつ
前記巻装部にて使用者の頚部を巻装することにより容器形状をなすことを特徴とする洗髪用吸水パッド。
【請求項２】
略長方形の第１吸水パッド及び該第１吸水パッドの中央部に積層される第２吸水パッドからなる吸水体と、該吸水体の表面側を覆う透水性シートと、該吸水体の裏面側を覆う非透水性シートとを具備する洗髪用吸水パッドにおいて、
前記透水性シートと前記非透水性シートとを前記吸水体の周縁にて互いに接合してなる接合部を形成すると共に、下辺側の該接合部に略半円状の巻装部を形成し、さらに、
前記巻装部の周縁に沿った伸縮自在の頚部漏水防止帯及び起立漏水防止帯と、上辺側の前記接合部に沿った伸縮自在の頭頂部漏水防止帯とを設けてなり、かつ前記巻装部にて使用者の頚部を巻装することにより容器形状をなすことを特徴とする洗髪用吸水パッド。
【考案の詳細な説明】
【０００１】
【考案の属する技術分野】
本考案は、高齢者、身障者、病人等の被介護者の頭髪を仰臥した状態で洗髪する際に使用する洗髪用吸水パッドに関する。
【０００２】
【従来の技術】
従来、被介護者の頭髪を仰臥した状態で洗髪する際には、電動ポンプ式シャワー装置を利用している。この場合、周辺の寝具等が洗髪水により濡れないように、耐水性シーツを被介護者と寝具の間に敷いておく必要があった。また、このような装置を利用できない場合は、洗面器等の容器を使用して洗髪を行っているが、作業が困難な上に被介護者も無理な姿勢を強いられ、また何度も水の取り替えを行う必要があり、介護者及び被介護者の双方にとって負担が大きかった。
【０００３】
【考案の解決しようとする課題】
上記のような現状に鑑み、本考案は、被介護者が仰臥した状態で洗髪することができ、寝具等への漏水を確実に防止すると共に介護者の作業が容易であり、また被介護者にも負担をかけることのない、低コストの洗髪用吸水パッドを提供することを目的とする。
【０００４】
【課題を解決するための手段】
（１）請求項１に係る洗髪用吸水パッドは、略長方形の第１吸水パッド及び該第１吸水パッドの中央部に積層される第２吸水パッドからなる吸水体と、該吸水体の表面側を覆う透水性シートと、該吸水体の裏面側を覆う非透水性シートとを具備する洗髪用吸水パッドにおいて、
前記透水性シートと前記非透水性シートとを前記吸水体の周縁にて互いに接合してなる接合部を形成すると共に、下辺側の該接合部に略半円状の巻装部を形成し、さらに、
前記巻装部の周縁に沿った伸縮自在の頚部漏水防止帯と、上辺側の前記接合部に沿った伸縮自在の頭頂部漏水防止帯とを設けてなり、かつ
前記巻装部にて使用者の頚部を巻装することにより容器形状をなすことを特徴とする。
【０００５】
（２）請求項２に係る洗髪用吸水パッドは、略長方形の第１吸水パッド及び該第１吸水パッドの中央部に積層される第２吸水パッドからなる吸水体と、該吸水体の表面側を覆う透水性シートと、該吸水体の裏面側を覆う非透水性シートとを具備する洗髪用吸水パッドにおいて、
前記透水性シートと前記非透水性シートとを前記吸水体の周縁にて互いに接合してなる接合部を形成すると共に、下辺側の該接合部に略半円状の巻装部を形成し、さらに、
前記巻装部の周縁に沿った伸縮自在の頚部漏水防止帯及び起立漏水防止帯と、上辺側の前記接合部に沿った伸縮自在の頭頂部漏水防止帯とを設けてなり、かつ前記巻装部にて使用者の頚部を巻装することにより容器形状をなすことを特徴とする。
【０００６】
【考案の実施の形態】
以下、図面を参照しつつ本考案の実施の形態を説明する。
図１は、本考案による洗髪用吸水パッドの平面図である。図示の洗髪用吸水パッド１は、使用前すなわち被介護者に装着する前の外観を示しており、全体として略長方形のフレキシブルなシート状製品である。図示されている面を表面とすると、表面側は、例えばポリプロピレン不織布、ポリオレフィン・ポリエステル不織布綿等の透水性シート７に覆われており、裏面側はポリエチレンフィルム等の非透水性シート（図１には現れていない）に覆われている。
【０００７】
透水性シート７と非透水性シートの間には吸水体が設けられている。吸水体は、略長方形の第１吸水パッド５と、第１吸水パッド５の中央部上に積層される第２吸水パッド６からなる。第１及び第２の吸水パッド５、６は、例えば、吸収紙、綿状パルプ、高分子吸収材（高分子ポリマー）を組み合わせた極めて吸水力の大きい材料で形成される。高分子吸収材は自重の５０〜１００倍の水分を吸収、膨張し、ジェル状に固めることができる。第１と第２の吸水パッド５の厚さは、それぞれ任意に設定できるが、例えば、双方を合わせて約２〜４ｃｍ（通常の介護用おむつの２〜４倍程度）としてもよいが、この範囲に限定しない。尚、吸水体が厚いほど吸水能力は高いが、吸水体の上に被介護者の頭部が載置されることになるので、無理な姿勢とならない程度にすることが好ましい。
【０００８】
透水性シート７と非透水性シートとは、吸水体の周縁にて互いに接合され、上下左右の周囲に接合部９ａ、９ｃ等を形成する。下辺側の接合部９ａは、特に幅広く形成され、その中央部分に略半円状の巻装部９ｂを切り欠きにより形成している。この巻装部９ｂは、装着時には被介護者の頚部に後方から巻き付けられ、前方において面ファスナ等の固定部３により固定されることになる。
【０００９】
さらに、巻装部９ｂの半円の周縁に沿って伸縮自在の頚部漏水防止帯２が設けられている。装着時には、頚部漏水防止帯２が被介護者の頚部に密着することにより、頚部からの漏水を防止する。またさらに、上辺側の接合部９ｃに沿って、その中央部分に伸縮自在の頭頂部漏水防止帯４が設けられている。頭頂部漏水防止帯４は、装着時に収縮することにより吸水体の上辺側の湾曲を形成する。
【００１０】
斯かる構成の洗髪用吸水パッド１の上記巻装部９ｂにより被介護者（使用者）の頚部を巻装しかつ固定することにより、洗髪用吸水パッド１全体が被介護者の頭部の周囲を取り囲むように容器形状をなす。
【００１１】
さらに好適には、巻装部９ｂの半円の周縁に沿って頚部漏水防止帯２に加えて、やはり伸縮自在の起立漏水防止帯８を設ける。この起立漏水防止帯８もまた装着に被介護者の頚部に密着する。これにより、さらに確実に頚部からの漏水を防止する。
【００１２】
図２（Ａ）は、図１のＡ−Ａ断面図であり、図２（Ｂ）は図１のＢ−Ｂ断面図である。図２（Ａ）に示す通り、巻装部における頚部漏水防止帯２には、例えばポリウレタン、天然ゴム等の複数の線状弾性材２ａが透水性シート７と非透水性シート１０により挟持され固着されている。頚部漏水防止帯２から立ち上がるように帯状の起立漏水防止帯８が取り付けられている。起立漏水防止帯８の帯材は、非透水性シートから形成され、その一方の側縁が頚部漏水防止帯２に固着されている。起立漏水防止帯８の他方の側縁にも、線状弾性材８ａが取り付けられている。頚部漏水防止帯２及び起立漏水防止帯８は、これらの線状弾性材２ａ、８ａにより伸縮自在である。また、図示しないが、図１の頭頂部漏水防止帯４にも同様の線状弾性体が取り付けられ、伸縮自在となっている。
【００１３】
図２（Ｂ）に示す通り、吸水体は、第１吸水パッド５と第２吸水パッド６を積層して形成されており、表面側を透水性シート７が、裏面側を非透水性シート１０が覆っている。透水性シート７と非透水性シート１０とは、吸水体の周縁で互いに接合して接合部を形成している。図２（Ｂ）では、左辺側接合部９ｄと、右辺側接合部９ｅが示されている。尚、透水性シート７、非透水性シート１０及び線状弾性材２ａ、８ａ等の間の接合若しくは固着は、例えばホットメルト、接着剤、粘着剤等により行うことができる。
【００１４】
図３は、図１の洗髪用吸水パッドの外観斜視図である。上記の通り、吸水体が第１吸水パッドと第２吸水パッドの２層構造となっているので、中央部に第２吸水パッドによる盛り上がりがある。
【００１５】
図４は、図１の洗髪用吸水パッドを、被介護者すなわち使用者に装着した状態を示す外観斜視図である。洗髪用吸水パッド１を被介護者の頭部の下に敷き、上述した略半円状の巻装部を被介護者の頚部に後方から巻き付け、前方において面ファスナ等の固定部３により固定する。これにより、吸水体の左右に存在する左辺側接合部９ｄ、右辺側接合部９ｅが壁状に立ち上がり、これらに連動して吸水体自体も湾曲する。同時に、上辺側接合部に設けた頭頂部漏水防止帯４も収縮することにより、吸水体の上辺側が同様に壁状に立ち上がり、吸水体自体も湾曲する。このように、本考案の洗髪用吸水パッド１は、装着することにより自動的に、その全体が被介護者の頭部の周囲を取り囲むような容器形状をなすことができる。もちろん、被介護者の頭部との間には、洗髪作業をし易い程度の空間が形成されるような大きさに設計される。このように容器形状となることにより、洗髪水の流れ出しによる漏れのみでなく、洗髪中の水の跳ね飛びも防止できる。尚、洗髪終了後は、通常の使い捨ておむつと同様に廃棄することができ、後始末も楽である。
【００１６】
【考案の効果】
以上の通り、本考案による洗髪用吸水パッドは、被介護者が仰臥した状態で洗髪することができる。特に中央部を厚くした２層構造の吸水体を有し、装着持には全体が容器形状をなることから、洗髪水を確実に吸水できると共に水の跳ね飛びも防止でき、さらに種々の漏水防止帯により寝具等への漏水を確実に防止することができる。
【００１７】
また、洗髪中に何度も水替えをする必要がなく、介護者の負担が軽減される。被介護者にも無理な姿勢をとらせることなく洗髪できる。さらに、使い捨てであることによっても負担が軽減される。加えて、量産性のある構造であるので低コストに製造することができる。
【図面の簡単な説明】
【図１】本考案による洗髪用吸水パッドの平面図である。
【図２】（Ａ）は、図１のＡ−Ａ断面図であり、（Ｂ）は図１のＢ−Ｂ断面図である。
【図３】図１の洗髪用吸水パッドの外観斜視図である。
【図４】図４は、図１の洗髪用吸水パッドを、被介護者すなわち使用者に装着した状態を示す外観斜視図である。
【符号の説明】
１：　洗髪用吸水パッド
２：　頚部漏水防止帯
２ａ：　線状弾性材
３：　固定部
４：　頭頂部漏水防止帯
５：　第１吸水パッド
６：　第２吸水パッド
７：　透水性シート
８：　起立漏水防止帯
８ａ：　線状弾性材
９ａ：　下辺側接合部
９ｂ：　巻装部
９ｃ：　上辺側接合部
９ｄ：　左辺側接合部
９ｅ：　右辺側接合部
１０：　非透水性シート
【図１】
0003098660.tif 000003
【図２】
0003098660.tif 000004
【図３】
0003098660.tif 000005
【図４】
0003098660.tif 000006